(57)【要約】【課題】本発明は、床版の高さ調整を常に安定した状態で迅速かつ正確に行うと共に、床版支持部材に対する傷付きを防止した床版据付方法を提供する。【解決手段】プレキャストコンクリート床版１０に設けられた上下貫通孔内１０ａにナット２０を埋設しておき、任意方向に首振り自在なユニバーサル機構３３を先端部３２に備え、埋設されたナット２０の雌ねじに螺合する雄ねじ３１ａを本体部３１に有する高さ調整ボルト３０をナット２０に螺合し、その先端部３２の端面３２ａを床版支持部材４０の上面４０ａに均等圧で当接させてプレキャストコンクリート床版１０の高さを調整して、プレキャストコンクリート床版１０を床版支持部材４０上に据え付ける。【選択図】        図１
2007092438.tif 000002
【特許請求の範囲】
【請求項１】
プレキャストコンクリート床版に上下貫通孔を設け、該上下貫通孔内に同心にナットを埋設しておき、任意方向に首振り自在なユニバーサル機構を先端部に備えた高さ調整ボルトを前記ナットに螺合し、該先端部端面を床版支持部材上面に当接させて前記床版の高さを調整して、該床版を前記床版支持部材上に据え付けることを特徴とする床版据付方法。
【請求項２】
前記高さ調整ボルトは、雌ねじに接する雄ねじ断面を円弧状としたことを特徴とする請求項１記載の床版据付方法。
【発明の詳細な説明】
【技術分野】
【０００１】
本発明は、プレキャストコンクリート床版を床版支持部材上に据え付ける床版据付方法に関する。
【背景技術】
【０００２】
従来一般に、床版支持部材上にプレキャストコンクリート床版を据え付けるに当たって、据え付ける床版の高さを調整するために、床版支持部材上にライナープレートや硬質スポンジなどといった支承を設置し、この支承上に床版を据え付ける。
【０００３】
また、プレキャストコンクリート床版に設けられた上下貫通孔内に埋設されたナットに高さ調整ボルトを螺合し、高さ調整ボルトの先端を床版支持部材上面に当接させて床版の高さを調整する技術もある（特願２００４−２３７６８５号参照）。
【発明の開示】
【発明が解決しようとする課題】
【０００４】
ところが、床版に反りや不陸が存在する場合や、床版が据え付けられる床版支持部材上面に勾配や不陸が存在する場合、支承を用いて床版の高さを調整する技術によると、据え付けられた床版と支承との間に隙間が生じるおそれがある。このような隙間が生じると、床版と支承との接触面積が極端に小さくなることから、据え付けられた床版が不安定な状態となるおそれがある。また、ライナープレートを用いた高さ調整方法では、ライナー材の調整作業を繰り返し行う必要があるため、床版を水平に据え付けるには多大な施工時間を要する。
【０００５】
また、特願２００４−２３７６８５号に提案された技術によると、支承を用いて床版の高さを調整する技術よりも微細な高さ調整が容易であり、施工時間の短縮が図られるものの、床版の高さを調整する際に、高さ調整ボルトの先端が回転運動することから、その先端が当接する床版支持部材上面に傷が付くおそれがある。そのため、例えば海岸地区等塩害のある環境下において、鋼製の床版支持部材上に床版を載置してプラットフォーム等を施工する場合に、高さ調整ボルトによって傷付けられた鋼材の傷の部分から腐食が進行する問題が生ずる。
【０００６】
本発明は、上記事情に鑑み、床版の高さ調整を常に安定した状態で迅速かつ正確に行うと共に、床版支持部材に対する傷付きを防止した床版据付方法を提供することを目的とするものである。
【課題を解決するための手段】
【０００７】
上記目的を達成する本発明の床版据付方法は、プレキャストコンクリート床版に上下貫通孔を設け、この上下貫通孔内に同心にナットを埋設しておき、任意方向に首振り自在なユニバーサル機構を先端部に備えた高さ調整ボルトを上記ナットに螺合し、その先端部端面を床版支持部材上面に当接させて上記床版の高さを調整して、この床版を上記床版支持部材上に据え付けることを特徴とする。
【０００８】
ここで、本発明のプレキャストコンクリート床版とは、例えば、埋設したＰＣ鋼材等によりコンクリートにプレストレスを導入したプレキャストＰＣ床版や、鉄筋コンクリート造のプレキャストＲＣ床版や、コンクリートやモルタルなどといったセメント系硬化材料中に鋼繊維や炭素繊維などの無機繊維、又はポリエステル繊維やアラミド繊維などの合成樹脂繊維を針状に形成した短長繊維を混入した繊維補強セメント系複合材料造の高強度プレキャストコンクリート床版等をいう。
【０００９】
本発明の床版据付方法は、上記上下貫通孔内に埋設されたナットに螺合する高さ調整ボルトが、任意方向に首振り自在なユニバーサル機構を先端部に備えているため、この高さ調整ボルトを用いて床版の高さを調整するに当たって、その先端部端面が床版支持部材上面に均等圧で当接することとなる。従って、例えば床版に反りや不陸が存在する場合や、床版が据え付けられる床版支持部材上面に勾配や不陸が存在する場合等、支承を用いて床版の高さを調整する従来の床版据付方法による施工によると多大な施工時間を要するような状況であっても、本発明の床版据付方法によれば、床版の高さ調整を常に安定した状態で迅速かつ正確に行うことができる。また、床版の高さ調整を行った後の据え付け状態を常に安定して保持することができる。さらに、高さ調整ボルトの先端部端面が床版支持部材上面に当接した後にこの高さ調整ボルトを更にねじ込んで高さ調整を行っても、ユニバーサル機構を境に先端部側は回転運動しないこととなるため、その先端部端面が当接する床版支持部材上面に、腐食の原因となり得る傷が付くことが防止される。
【００１０】
ここで、上記本発明の床版据付方法において、上記高さ調整ボルトは、雌ねじに接する雄ねじ断面を円弧状とすることによって、ナットの雌ねじと高さ調整ボルトの雄ねじとの間の摩擦が低減され、重量物であるプレキャストコンクリート床版の高さ調整を容易に行うことができ、好適である。
【発明の効果】
【００１１】
本発明によれば、プレキャストコンクリート床版に設けられた上下貫通孔内に埋設されたナットに螺合する高さ調整ボルトが、任意方向に首振り自在なユニバーサル機構を先端部に備えているため、この高さ調整ボルトを用いて床版の高さを調整するに当たって、その先端部端面が床版支持部材上面に均等圧で当接することとなる。従って、床版の高さ調整を常に安定した状態で迅速かつ正確に行うことができ、床版の高さ調整を行った後の据え付け状態も常に安定して保持することができる。また、高さ調整ボルトの先端部端面が床版支持部材上面に当接した後にこの高さ調整ボルトを更にねじ込んでも、ユニバーサル機構を境に先端部側は回転運動しないこととなるため、その先端部端面が当接する床版支持部材上面に、腐食の原因となり得る傷が付くことが防止される。
【発明を実施するための最良の形態】
【００１２】
以下、本発明の実施の形態を説明するのに先立って、支承を用いてプレキャストコンクリート床版を据え付ける従来の床版据付方法の問題点について分析する。
【００１３】
図１２は、プレキャストコンクリート床版７０を従来の床版据付方法による施工で床版支持部材９０上に据え付けた状態の第１例を示す側面図、図１３は、その状態の第２例を示す側面図である。
【００１４】
図１２，図１３には、プレキャストコンクリート床版７０が、ライナープレートや硬質スポンジなどといった支承８０を介して床版支持部材９０上に据え付けられた状態が示されている。
【００１５】
図１２に示すように、プレキャストコンクリート床版７０が据え付けられる床版支持部材９０の上面９０ａが水平である場合には、プレキャストコンクリート床版７０を水平に据え付けることが容易である。
【００１６】
ところが、床版支持部材９０の上面９０ａに勾配が存在する場合には、図１３に示すように、据え付けられたプレキャストコンクリート床版７０と支承８０との間に隙間が生じるおそれがある。このような隙間が生じると、プレキャストコンクリート床版７０と支承８０との接触面積が極端に小さくなることから、据え付けられたプレキャストコンクリート床版７０が不安定な状態となるおそれがある。また、支承８０にライナープレートを用いた高さ調整方法では、ライナー材の調整作業を繰り返し行う必要があるため、プレキャストコンクリート床版７０を水平に据え付けるには多大な施工時間を要する。
【００１７】
尚、図１３では、床版支持部材９０の上面９０ａに勾配が存在する例を挙げたが、例えば、プレキャストコンクリート床版７０に反りや不陸が存在する場合や、床版支持部材９０の上面９０ａに不陸が存在する場合等であっても、同様の問題が発生するおそれがある。
【００１８】
また、図示を省略するが、プレキャストコンクリート床版に設けられた上下貫通孔内に埋設されたナットに高さ調整ボルトを螺合し、高さ調整ボルトの先端を床版支持部材上面に当接させて床版の高さを調整する技術も知られている。このような技術によれば、図１２，図１３に示す床版据付方法よりも微細な高さ調整が容易であり、施工時間の短縮が図られるものの、床版の高さを調整する際に、高さ調整ボルトの先端が回転運動することから、その先端が当接する床版支持部材上面に傷が付くおそれがある。そのため、例えば海岸地区等塩害のある環境下において、鋼製の床版支持部材上に床版を載置してプラットフォーム等を施工する場合に、高さ調整ボルトによって傷付けられた鋼材の傷の部分から腐食が進行する問題が生ずる。
【００１９】
本発明は、このような従来の問題を解決したもので、以下、図面を参照して本発明の実施の形態を説明する。
【００２０】
図１は、本発明の一実施形態が適用された床版据付方法を説明する図であって、プレキャストコンクリート床版１０をその床版据付方法による施工で床版支持部材４０上に据え付けた状態の一部分を側面から透視した透視側面図である。また、図２は、図１に示すナット２０の拡大図、図３は、図１に示す高さ調整ボルト３０のＡ部の拡大図である。
【００２１】
図１に示すプレキャストコンクリート床版１０には、３以上の上下貫通孔１０ａが設けられており、各上下貫通孔１０ａ内に同心に、図２にも示すナット２０が埋設されている。尚、図１にはこれら３以上の上下貫通孔１０ａのうちの１つの上下貫通孔１０ａが示されている。このプレキャストコンクリート床版１０は、例えば、プレキャストＰＣ床版やプレキャストＲＣ床版や高強度プレキャストコンクリート床版等である。
【００２２】
また、図１，図３に示すように、高さ調整ボルト３０は、ナット２０の雌ねじに螺合する雄ねじ３１ａを有する本体部３１と、任意方向に首振り自在なユニバーサル機構３３を介して結合した先端部３２とから構成されている。また、この高さ調整ボルト３０は、ナット２０の雌ねじに接する雄ねじ３１ａの断面が円弧状とされている。このような高さ調整ボルト３０がナット２０に螺合されており、その先端部３２の端面３２ａが鋼製梁等の床版支持部材４０の上面４０ａに均等圧で当接されることによって、プレキャストコンクリート床版１０が床版支持部材４０上に据え付けられている。この高さ調整ボルト３０は、例えばＳＣＭ４３５材からなるものである。
【００２３】
まず、図４〜図６を参照して、図１，図３に示す高さ調整ボルト３０の本体部３１を先端部３２に嵌合する工程を説明する。
【００２４】
図４は、図１，図３に示す高さ調整ボルト３０の本体部３１を先端部３２に嵌合する前の状態を示す側面図、図５，図６は、図４に示す本体部３１を先端部３２に嵌合した後の状態を示す側面図である。
【００２５】
図４に示すように、高さ調整ボルト３０の本体部３１の先端部３２との嵌合部分には球状の凸部３１ｂが設けられている。また、高さ調整ボルト３０の先端部３２の本体部３１との嵌合部分にはその凸部３１ｂと嵌合する凹部３２ｂが設けられている。また、この凹部３２ｂの開口部分３２ｃの寸法は、本体部３１の凸部３１ｂの直径よりも僅かに小さい寸法である。
【００２６】
このように構成された高さ調整ボルト３０の先端部３２を加熱する。先端部３２を加熱することによって凹部３２ｂの開口部分３２ｃが熱膨張し、本体部３１の凸部３１ｂを先端部３２の凹部３２ｂに嵌合することが可能となる。
【００２７】
加熱した先端部３２の凹部３２ｂを本体部３１の凸部３１ｂに嵌合した後に冷却する、いわゆる焼バメ加工によって、凹部３２ｂの開口部分３２ｃが収縮し、図５に示すように、高さ調整ボルト３０の本体部３１と先端部３２とを結合する。
【００２８】
このようにして本体部３１と先端部３２とを結合した高さ調整ボルト３０は、図６に示すように、任意方向に首振り自在なユニバーサル機構３３を介して結合することとなる。
【００２９】
次に、図７〜図１１を参照して、本発明の一実施形態が適用された床版据付方法の各工程を説明する。
【００３０】
図７は、図１にも示すプレキャストコンクリート床版１０の一部分を側面から透視した透視側面図である。
【００３１】
図７に示すように、プレキャストコンクリート床版１０に設けられた上下貫通孔１０ａ内には、上下貫通孔１０ａと同心にナット２０が埋設されている。
【００３２】
図８は、図７に示すプレキャストコンクリート床版１０に設けられた上下貫通孔１０ａ内に高さ調整ボルト３０を挿入する状態を側面から透視した透視側面図である。
【００３３】
図７に示すプレキャストコンクリート床版１０を床版支持部材４０上に仮据え付けする。床版支持部材４０上に仮据え付けしたプレキャストコンクリート床版１０の上下貫通孔１０ａ内に、図４〜図６に示す工程を経て得られた、任意方向に首振り自在なユニバーサル機構を備えた高さ調整ボルト３０を、高さ調整ボルト３０の先端部３２の端面３２ａが床版支持部材４０の上面４０ａに当接するように挿入する。尚、高さ調整ボルト３０を予め上下貫通孔１０ａ内に挿入したプレキャストコンクリート床版１０を床版支持部材４０上に仮据え付けしてもよい。
【００３４】
図９は、図８に示す高さ調整ボルト３０を用いてプレキャストコンクリート床版１０の高さを調整する状態を側面から透視した透視側面図である。
【００３５】
高さ調整ボルト３０の本体部３１の雄ねじ３１ａとナット２０の雌ねじに螺合してねじ込み、高さ調整ボルト３０の先端部３２の端面３２ａを床版支持部材４０の上面４０ａに当接させる。高さ調整ボルト３０は、任意方向に首振り自在なユニバーサル機構３３を介して本体部３１と先端部３２とが結合したものであることから、先端部３２の端面３２ａが床版支持部材４０の上面４０ａに均等圧で当接することとなる。従って、例えばプレキャストコンクリート床版１０に反りや不陸が存在する場合や、プレキャストコンクリート床版１０が据え付けられる床版支持部材４０の上面４０ａに勾配や不陸が存在する場合等、図１２，図１３に示す従来の床版据付方法による施工によると多大な施工時間を要するような状況であっても、プレキャストコンクリート床版１０の高さ調整を常に安定した状態で迅速かつ正確に行うことができる。また、プレキャストコンクリート床版１０の高さ調整を行った後の据え付け状態を常に安定して保持することができる。
【００３６】
その後、高さ調整ボルト３０を更にねじ込むことによって、プレキャストコンクリート床版１０の高さを調整して、プレキャストコンクリート床版１０を床版支持部材４０上に据え付ける。
【００３７】
高さ調整ボルト３０の先端部３２の端面３２ａが床版支持部材４０の上面４０ａに当接した後にこの高さ調整ボルト３０を更にねじ込んで高さ調整を行っても、ユニバーサル機構３３を境に先端部３２側は回転運動しないこととなるため、その先端部３２の端面３２ａが当接する床版支持部材４０の上面４０ａに、腐食の原因となり得る傷が付くことが防止される。
【００３８】
また、図１を参照して説明したように、この高さ調整ボルト３０は、ナット２０の雌ねじに接する雄ねじ３１ａの断面が円弧状とされていることから、ナット２０の雌ねじと高さ調整ボルト３０の雄ねじ３１ａとの間の摩擦が低減され、重量物であるプレキャストコンクリート床版１０の高さ調整を容易に行うことができる。
【００３９】
図１０は、図９に示す高さ調整ボルト３０を撤去する状態を側面から透視した透視側面図である。
【００４０】
図１０に示すように、プレキャストコンクリート床版１０と床版支持部材４０との間の空間にコンクリート５０を打設した後、高さ調整ボルト３０を撤去する。
【００４１】
図１１は、プレキャストコンクリート床版１０に設けられた上下貫通孔１０ａを塞いだ状態を側面から透視した透視側面図である。
【００４２】
図１１に示すように、プレキャストコンクリート床版１０に設けられた上下貫通孔１０ａにモルタル６０を打設して、上下貫通孔１０ａを塞ぐ。
【図面の簡単な説明】
【００４３】
【図１】プレキャストコンクリート床版を床版支持部材上に据え付けた状態の一部分を側面から透視した透視側面図である。
【図２】図１に示すナットの拡大図である。
【図３】図１に示す高さ調整ボルトのＡ部の拡大図である。
【図４】図１，図３に示す高さ調整ボルトの本体部を先端部に嵌合する前の状態を示す側面図である。
【図５】図４に示す本体部を先端部に嵌合した後の状態を示す側面図である。
【図６】図４に示す本体部を先端部に嵌合した後の状態を示す側面図である。
【図７】図１にも示すプレキャストコンクリート床版の一部分を側面から透視した透視側面図である。
【図８】図７に示すプレキャストコンクリート床版に設けられた上下貫通孔内に高さ調整ボルトを挿入する状態を側面から透視した透視側面図である。
【図９】図８に示す高さ調整ボルトを用いてプレキャストコンクリート床版の高さを調整する状態を側面から透視した透視側面図である。
【図１０】図９に示す高さ調整ボルトを撤去する状態を側面から透視した透視側面図である。
【図１１】プレキャストコンクリート床版に設けられた上下貫通孔を塞いだ状態を側面から透視した透視側面図である。
【図１２】プレキャストコンクリート床版を従来の床版据付方法による施工で床版支持部材上に据え付けた状態の第１例を示す側面図である。
【図１３】プレキャストコンクリート床版を従来の床版据付方法による施工で床版支持部材上に据え付けた状態の第２例を示す側面図である。
【符号の説明】
【００４４】
１０    プレキャストコンクリート床版
１０ａ    上下貫通孔
２０    ナット
３０    高さ調整ボルト
３１    本体部
３１ａ    雄ねじ
３１ｂ    凸部
３２    先端部
３２ａ    端面
３２ｂ    凹部
３２ｃ    開口部分
３３    ユニバーサル機構
４０    床版支持部材
４０ａ    上面
５０    コンクリート
６０    モルタル
７０    プレキャストコンクリート床版
８０    支承
９０    床版支持部材
９０ａ    上面
【図１】
2007092438.tif 000003
【図２】
2007092438.tif 000004
【図３】
2007092438.tif 000005
【図４】
2007092438.tif 000006
【図５】
2007092438.tif 000007
【図６】
2007092438.tif 000008
【図７】
2007092438.tif 000009
【図８】
2007092438.tif 000010
【図９】
2007092438.tif 000011
【図１０】
2007092438.tif 000012
【図１１】
2007092438.tif 000013
【図１２】
2007092438.tif 000014
【図１３】
2007092438.tif 000015